(57)【特許請求の範囲】
【請求項１】
反射面が凹面からなる反射鏡と、ランプが装着され前記ランプのランプ軸が前記反射面の開口面と略平行になるように配設されるランプソケットと、前記反射鏡及び前記ランプソケットが内装されるセードとを備え、
前記反射鏡には、前記反射面において前記ランプからの照射光を前記ランプに入射する方向に反射させる部位に孔が設けられ、前記孔は、前記ランプからの照射光が前記ランプに向けて反射しないように長径と短径の比率が設定された長円形状に形成されていることを特徴とする照明器具。
【発明の詳細な説明】
【技術分野】
【０００１】
本発明は、天井面や壁面や床面などに取り付けられ、商業空間の商品演出や建築空間の空間演出に使用される照射方向可変型の照明器具に関するものである。
【背景技術】
【０００２】
従来より、特許文献１や図８及び図９に示すように天井などに取り付けられ、光の照射方向を回転自在に可変できる照明器具が提供されている。
【０００３】
ここで、図８及び図９に示す照明器具Ａは、一面（図８中の前面）が開口する略円形箱状のセード１を有し、このセード１内には反射面２ｃが放物面からなる反射鏡２と、ランプ軸（図８中の左右方向の軸）が上記放物面の開口面と略平行になるように配設された片口金のランプ３とが収納されている。この照明器具Ａでは、ランプ３からの照射光のうち照明方向（図９（ａ）中の左方向）に向かう光は直接照明方向に照射され、反射鏡２に向かう光（照明方向と反対側の光）は反射面２ｃで反射されて照明方向に照射されるようになっている。
【特許文献１】特開２００２−３７３５２２号公報（段落［００１４］−段落［００１６］、及び、第１図−第２図）
【発明の開示】
【発明が解決しようとする課題】
【０００４】
上述の図８及び図９に示した照明器具Ａでは、反射鏡２の反射面２ｃを構成する放物面の焦点付近にランプ３が配置されているので、上記放物面の頂部付近で反射された光がランプ３の発光管３ａやその付近に照射されて（図９（ａ）及び図９（ｂ）中の矢印Ｂ）、ランプ３の温度が上昇し、その結果、発光色、光出力、ランプ電圧及びランプ寿命などのランプ特性に影響を及ぼす虞があった。また、図８及び図９に示した照明器具Ａでは、ランプ３としてメタルハライドランプを用いており、このメタルハライドランプは通常、ランプ３を構成する発光管（内管）３ａは石英ガラスで形成され、外管３ｂは硬質ガラスで形成されることになるが、ランプ３の温度上昇に伴ってこれらの発光管３ａ及び外管３ｂに熱歪みが蓄積したり、失透する虞があった。
【０００５】
本発明は上記問題点に鑑みて為されたものであり、その目的とするところは、ランプの温度上昇を抑制することによってランプ特性への影響を低減させた照明器具を提供することにある。
【課題を解決するための手段】
【０００６】
請求項１の発明は、反射面が凹面からなる反射鏡と、ランプが装着されランプのランプ軸が反射面の開口面と略平行になるように配設されるランプソケットと、反射鏡及びランプソケットが内装されるセードとを備え、反射鏡には、反射面においてランプからの照射光をランプに入射する方向に反射させる部位に孔が設けられ、孔は、ランプからの照射光がランプに向けて反射しないように長径と短径の比率が設定された長円形状に形成されていることを特徴とする。
【発明の効果】
【０００８】
請求項１の発明によれば、反射鏡の反射面においてランプからの照射光を当該ランプに入射する方向に反射させる部位に孔を設けているので、ランプからの照射光がランプに向けて反射されることがなく、発光管やその周囲に光が当たることによるランプの温度上昇を抑制することができ、したがってランプ特性への影響を低減させた照明器具を提供することができるという効果がある。また、ランプとしてメタルハライドランプを用いた場合でも、ランプの温度上昇を抑制することによって、外管及び発光管の熱歪みや失透を抑制することができるという効果もある。
【０００９】
さらに、ランプからの照射光を当該ランプに向けて反射させないように、長径と短径の比率が設定された長円により上記孔を形成しているので、ランプからの照射光がランプに向けて反射されることがなく、発光管やその周囲に光が当たることによるランプの温度上昇を抑制することができ、したがってランプ特性への影響を低減させた照明器具を提供することができるという効果がある。
【発明を実施するための最良の形態】
【００１０】
本発明の実施形態を図１〜図７に基づいて説明する。本実施形態の照明器具Ａは、例えば天井などに配設された配線ダクトに取り付けられる照射方向可変型の照明器具であって、商業空間の商品演出や建築空間の空間演出に用いられるものである。
【００１１】
照明器具Ａは、図１〜図４に示すように、ランプ３が着脱自在に装着されるランプソケット１２と、ランプ３から照明方向（図１中の前面方向）と反対側に照射された光を、照明方向に反射させるための反射鏡２と、ランプ３及び反射鏡２を収納するセード１と、ランプソケット１２を介してランプ３に点灯電力を供給する安定器８と、安定器８を収納して配線ダクトに着脱自在に取着されるケース７と、セード１とケース７との間を連結してセード１を支持する支持アーム５とを備えている。
【００１２】
セード１は、例えば合成樹脂成形品であって、図１及び図２に示すように前面側が開口する略円形箱状に形成されており、セード１の右側の側壁には支持アーム５の回転軸部５ｂが挿通される軸受部１ａが設けられている。この軸受部１ａには、挿通した回転軸部５ｂを保持するための保持金具（図示せず）が設けられており、この保持金具により回転軸部５ｂを保持するとともに、回転軸部５ｂが軸受部１ａから脱落するのを防止している。また、セード１の内周面において軸受部１ａの近傍には、回転ストッパー（図示せず）が設けられており、回転軸部５ｂに設けた回転規制突起（図示せず）がこの回転ストッパーに回転係止することでセード１の回転範囲が規制されるようになっている。さらに、セード１の内周面には、図７（ａ）に示すように反射鏡２を保持するための保持リブ１ｃが周方向に沿って複数（図７（ａ）中では１個のみ図示）設けられ、各保持リブ１ｃの前面側には反射鏡２に設けた切欠部２ｅと係合して反射鏡２の位置決めを行う位置決め突起１ｄがそれぞれ一体に設けられている。また、各位置決め突起１ｄには、反射鏡２をセード１に固定するための固定ばね６が嵌合する嵌合溝１ｅがそれぞれ設けられている。
【００１３】
ここで、本実施形態の照明器具Ａに使用されるランプ３は、例えば片口金のメタルハライドランプであって、図４（ａ）及び図４（ｂ）に示すように硬質ガラスで形成された直管状の外管３ｂを有し、外管３ｂ内には、発光物質として水銀のほかにヨウ化ナトリウムやヨウ化スカンジウムなどのハロゲン化金属が封入された石英ガラスからなる発光管（内管）３ａが収納されており、発光管３ａの長手方向（図４（ｂ）中の左右方向）両端側には放電を発生させるための電極（図示せず）がそれぞれ設けられている。また、外管３ｂの一端側（図４（ｂ）中の左側）は封止されており、他端側にはランプソケット１２と電気的に接続される口金部３ｃが一体に設けられている。
【００１４】
而して、このランプ３では、両電極間にランプソケット１２を介して安定器８から点灯電力が供給されると、一方の電極から発光管３ａ内に放出された電子が他方の電極側に移動する際に、水銀原子やナトリウム原子やスカンジウム原子と衝突することによって、これらの原子が励起され、さらにこれらの原子が励起状態から基底状態に戻る際に光を放出する仕組みになっている。尚、メタルハライドランプについては従来周知のものを採用しており、詳細については説明を省略する。
【００１５】
反射鏡２は、例えば金属製であって、図５及び図６に示すように放物線を対称軸（図示はしていないが、図６（ａ）中の前後方向の軸）回りに回転させてできる放物面からなる反射面２ｃを有し、反射面２ｃの頂部２ｄ（ランプ３からの照射光をランプ３に入射する方向に反射させる部位）には横長の孔２ａが貫設されている。この孔２ａは、長軸方向がランプ軸と略平行になる長円形状に形成されており、長径（図６（ａ）中の左右方向の径）Ｄ１と短径（図６（ａ）中の上下方向の径）Ｄ２の比率が、ランプ３からの照射光が当該ランプ３に向けて反射しないように設定されている。また、反射鏡２の反射面２ｃにおいてランプ３の口金部３ｃに対応する部位（図５中の右側）には、ランプ３を取り付けた際に口金部３ｃを逃がすための切欠部２ｂが設けられ、さらに反射面２ｃの外周縁においてセード１の各位置決め突起１ｄに対応する部位には、対応する位置決め突起１ｄと係合する切欠部２ｅがそれぞれ設けられている。
【００１６】
ここで、反射鏡２をセード１に取り付ける手順について図２及び図７に基づいて説明する。まず、反射鏡２を前面側からセード１に近づけ、各切欠部２ｅを対応する位置決め突起１ｄにそれぞれ係合させて反射鏡２を保持リブ１ｃの前面に載置する（図７（ｂ）参照）。その後、弾性を有する略円弧状に形成された固定ばね６（図２参照）を撓めた状態で反射鏡２の前面側に配置し手を離すと、固定ばね６が拡開して各位置決め突起１ｄの嵌合溝１ｅに嵌合し、反射鏡２が固定ばね６とセード１の保持リブ１ｃとの間で挟持されて反射鏡２がセード１に取り付けられる（図７（ｃ）参照）。
【００１７】
また、セード１の開口部には、略円形枠状に形成された前面枠４が取り付けられるようになっており、前面枠４を前面側からセード１の開口部に填め込むとともに、セード１に対して前面枠４を回転させることで前面枠４がセード１に嵌着される。
【００１８】
次に、安定器８は、ランプソケット１２を介してランプ３に点灯電力を供給するためのものであって、横長の略直方体状に形成されており、長手方向一端側（図２中の左側）には複数（本実施形態では２個）の入力端子８ａが設けられるとともに、長手方向他端側（図２中の右側）には各入力端子８ａに対応する出力端子８ｂが設けられている。
【００１９】
この安定器８は、図２に示すように一面（図２中の上面）が開口する横長の略矩形箱状のケース７に収納され、またケース７の開口部の長手方向一端側（図２中の左側）にはプラグ９が取り付けられる。このプラグ９は、天井に取り付けられた配線ダクト（図示せず）内に設けた電源供給部（図示せず）に接触することで商用電源が供給される複数（本実施形態では２個）の給電端子９ａと、配線ダクトにケース７を固定するための略矩形板状の固定金具９ｃと、給電端子９ａ及び固定金具９ｃを回転させるための回転レバー９ｂとを備えている。また、ケース７の長手方向他端側（図２中の右側）には、ケース７を配線ダクトに固定するための固定部１４が一体に設けられ、この固定部１４には略矩形板状の固定金具１４ａが回転自在に設けられている。尚、各給電端子９ａは、取付状態において安定器８の対応する入力端子８ａにそれぞれ電気的に接続されるようになっている。さらに、安定器８を収納したケース７の上面には、複数（本実施形態では３個）のねじ挿通孔１０ａが設けられたカバー１０が取り付けられるようになっており、カバー１０はねじ挿通孔１０ａに挿通した３個の固定ねじ１１を用いて上記プラグ９とともにケース７にねじ固定され、ケース７の上面を閉塞する（図１参照）。
【００２０】
ここで、ケース７を配線ダクトに取り付ける場合には、まずプラグ９及び固定部１４を、配線ダクトの下面に設けられた溝を通して配線ダクト内に挿入し、プラグ９の回転レバー９ｂを操作して給電端子９ａ及び固定金具９ｃを９０度回転させる。その後、固定部１４に設けた固定ねじ（図示せず）を配線ダクトの外側から工具を用いて締め付けると、固定ねじの回転に伴って固定金具１４ａが９０度回転し配線ダクト内面に当接することで、それ以上の回転が規制される。さらに、この状態から固定ねじを締め付けると、固定金具１４ａがケース７側（図１中の下側）に移動することで配線ダクトがケース７の上面と固定金具１４ａとの間で挟持され、ケース７が配線ダクトに取り付けられる。尚、この時、各給電端子９ａは、配線ダクト内の対応する電源供給部とそれぞれ接触し、電気的に接続される。
【００２１】
次に、支持アーム５は、図１〜図３に示すように略Ｌ字状のアーム部５ｃを有し、アーム部５ｃの一端側（図２中の上端側）には、ケース７の下面中央に設けた軸受部（図示せず）に軸支される回転軸部５ａが設けられ、アーム部５ｃの他端側（図２中の下端側）には、セード１の側壁に設けた軸受部１ａに挿通されてセード１を軸支する回転軸部５ｂが設けられている。尚、支持アーム５の回転軸部５ｂ内には、図４（ｂ）に示すようにねじ込み式のランプソケット１２が取り付けられており、このランプソケット１２にランプ３の口金部３ｃを側方からねじ込むことでランプ３がランプソケット１２に装着され、ランプソケット１２の各電極とランプ３の対応する電極とがそれぞれ電気的に接続されるようになっている。また、支持アーム５内には電源線（図示せず）が配線されており、この電源線を介して安定器８の出力端子８ｂとランプソケット１２の対応する電極とがそれぞれ電気的に接続されるようになっている。
【００２２】
而して、本実施形態の照明器具Ａでは、セード１及び支持アーム５が、回転軸部５ａ回り（図１中の矢印Ｇ方向）に回転自在となっており、またセード１が、回転軸部５ｂ回り（図１中の矢印Ｈ方向）に回転自在となっている。
【００２３】
次に、照明器具Ａの組立手順について図１、図２及び図７に基づいて説明する。尚、本説明において、安定器８は予めケース７内に収納されており、また安定器８とランプソケット１２との間は電源線により接続されているものとする。
【００２４】
まず、反射面２ｃを前面側に向けた状態で反射鏡２を前面側からセード１の収納凹部１ｂ内に収納するとともに、固定ばね６をセード１の嵌合溝１ｅに嵌合させて反射鏡２をセード１に固定する。その後、前面枠４を前面側からセード１の開口部に填め込むとともに、セード１に対して前面枠４を回転させ、前面枠４をセード１に嵌着させる。次に、回転軸部５ｂ内に設けたランプソケット１２に側方からランプ３を装着し、その後、支持アーム５の回転軸部５ａをケース７の下面中央に設けた軸受部に軸支するとともに、回転軸部５ｂをセード１の軸受部１ａに軸支すると、照明器具Ａの組み立てが完了する。尚、この時、ランプ３は、ランプ軸（図１中の左右方向の軸）が反射鏡２の反射面２ｃを形成する放物面の開口面と略平行であって、且つ、上記放物面の焦点にランプ軸が位置するように配置される。また、反射鏡２は、孔２ａの長径方向（図１中の左右方向）がランプ３のランプ軸と略平行になるように配置される。
【００２５】
ここで、本実施形態の照明器具Ａの照明方向を調整する方法について説明する。まず、照明方向を垂直軸回りに調整する場合には、セード１及び支持アーム５を、支持アーム５の回転軸部５ａ回り（図１中の矢印Ｇ方向）に回転させると、セード１の向きが変化し、垂直軸回りの照明方向が所望の向きに調整される。また、照明方向を水平軸回りに調整する場合には、セード１を、支持アーム５の回転軸部５ｂ回り（図１中の矢印Ｈ方向）に回転させると、セード１の回転に伴って反射鏡２の向きが変化し、水平軸回りの照明方向が所望の向きに調整される。而して、本実施形態の照明器具Ａでは、セード１及び支持アーム５を回転させることによって、ランプ３の照明方向を所望の方向に容易に設定することができる。
【００２６】
本実施形態の照明器具Ａでは、上述したように反射鏡２の反射面２ｃにおいてランプ３からの照射光を当該ランプ３に入射する方向に反射させる部位に、ランプ３からの照射光を当該ランプ３に向けて反射させないように長径Ｄ１と短径Ｄ２の比率が設定された長円からなる孔２ａを設けているが、ランプ３のランプ軸方向において、孔２ａの一方の端（図４（ｂ）中の左端）に照射される光のうち、孔２ａの一端側に最も近い発光管３ａの部位（図４（ｂ）中の左端）から照射された光（図４（ｂ）中の破線Ｆ）も、孔２ａの一端側に最も遠い発光管３ａの部位（図４（ｂ）中の右端）から照射された光（図４（ｂ）中の実線Ｅ）もランプ３に入射することがないので、ランプ３のランプ軸方向において発光管３ａの全体から照射される光はランプ３に入射することはない。
【００２７】
また、ランプ３のランプ軸と直交する方向において、孔２ａの一方の端（図４（ａ）中の上端）に照射される光のうち、孔２ａの一端側に最も近い発光管３ａの部位（図４（ａ）中の上端）から照射された光（図４（ａ）中の破線Ｄ）も、孔２ａの一端側に最も遠い発光管３ａの部位（図４（ａ）中の下端）から照射された光（図４（ｂ）中の実線Ｃ）もランプ３に入射することがないので、ランプ３のランプ軸と直交する方向において発光管３ａの全体から照射される光はランプ３に入射することはない。したがって、本実施形態の照明器具Ａでは、ランプ光がランプ３に向けて反射されないので、ランプ３の発光管３ａや外管３ｂにランプ光が当たってランプ３の温度が上昇するのを抑制することができ、その結果、ランプ特性への影響を低減させた照明器具Ａを提供することができる。また、本実施形態のように、ランプ３としてメタルハライドランプを用いた場合であっても、ランプ３の温度上昇を抑制することによって、外管３ｂ及び発光管３ａの熱歪みや失透を抑制することができる。
【００２８】
ここにおいて、ランプ３からの照射光がランプ３に入射しないようにするためには、ランプ３のランプ軸方向及びランプ軸と直交する方向において、孔２ａの端部に最も近い発光管３ａの部位から照射される光がランプ３に反射されないように、孔２ａの長径Ｄ１及び短径Ｄ２の比率を設定すればよい。
【００２９】
尚、本実施形態では、反射鏡２の反射面２ｃを放物面形状に形成した場合を例に説明したが、反射面２ｃは所望の配光が得られるように凹面形状に形成されていればよく、例えば楕円面形状などであってもよい。
【００３０】
また、本実施形態では、ランプ３としてメタルハライドランプを用いた場合を例に説明したが、ランプ３はメタルハライドランプに限定されるものではない。さらに、用いるランプも片口金タイプのものに限定されるものではなく、例えば両端部に口金部が設けられたランプなどであってもよい。
【図面の簡単な説明】
【００３１】
【図１】本実施形態の照明器具の斜視図である。
【図２】同上の分解斜視図である。
【図３】同上の正面図である。
【図４】（ａ）は同上のＸ−Ｘ断面図、（ｂ）は同上のＹ−Ｙ断面図である。
【図５】同上に用いられる反射鏡の斜視図である。
【図６】同上に用いられる反射鏡を示し、（ａ）は背面図、（ｂ）は側面図である。
【図７】（ａ）〜（ｃ）は同上に用いられる反射鏡をセードに取付ける手順を示す説明図である。
【図８】従来例の照明器具の正面図である。
【図９】（ａ）は同上のＸ−Ｘ断面図、（ｂ）は同上のＹ−Ｙ断面図である。
【符号の説明】
【００３２】
１  セード
２  反射鏡
２ａ  孔
２ｃ  反射面
３  ランプ
１２  ランプソケット
Ａ  照明器具
【図１】
0005027616.tif 000002
【図２】
0005027616.tif 000003
【図３】
0005027616.tif 000004
【図４】
0005027616.tif 000005
【図５】
0005027616.tif 000006
【図６】
0005027616.tif 000007
【図７】
0005027616.tif 000008
【図８】
0005027616.tif 000009
【図９】
0005027616.tif 000010